【手続補正書】
【提出日】平成16年2月4日(2004.2.4)
【手続補正１】
【補正対象書類名】明細書
【補正対象項目名】特許請求の範囲
【補正方法】変更
【補正の内容】
【特許請求の範囲】
【請求項１】
個々の素子が協働して完全なイメージを生成する発光素子（１５）のアレイから成る発光素子ディスプレイ・チップ（１４）であって、前記発光素子（１５）を行列に配置して前記完全なイメージの全画素を定め、前記発光素子を前記発光素子ディスプレイ・チップ（１４）の外縁部に隣接する複数の外部接続／取付パッド（２２）に動作可能に接続して成る発光素子ディスプレイ・チップ（１４）；
発光素子ディスプレイ・チップ（１４）によって生成される前記完全なイメージと実質的に同一の広がりを持って基板を貫通する中央開口部（３５）を設けた取付基板（３０）であって、前記中央開口部（３５）の周囲表面に複数の取付パッド（３４）を形成し、前記発光素子ディスプレイ・チップ（１４）上の複数の外部接続／取付パッド（２２）を前記取付基板（３０）上の複数の取付パッド（３４）にバンプ・ボンディングで接続して成る取付基板（３０）；および
前記取付基板（３０）上の複数の端子および複数の取付パッド（３４）を介して前記発光素子（１２）に接続される複数のドライバおよび制御回路（５７）；
によって構成されることを特徴とする光電子集積パッケージ。
【請求項２】
主表面（１１）を有する発光素子ディスプレイ・チップ（１４）であって、前記主表面（１１）の中央部分（１３）で個々の素子が協働して完全なイメージを生成する発光素子（１５）のアレイを形成し、それぞれの前記発光素子（１２）に前記発光素子（１２）を活性化するための第１電極（１６）および第２電極（１７）を設け、前記発光素子ディスプレイ・チップ（１４）の外縁部に隣接する位置および前記主表面（１１）の中央部分（１３）の外側の位置に外部接続／取付パッド（２２）をさらに設け、それぞれの前記発光素子（１２）の前記第１電極を前記複数の外部接続／取付パッド（２２）の第１のものの一つに接続し、それぞれの前記発光素子（１２）の前記第２電極を前記複数の外部接続／取付パッド（２２）の第２のものの一つに接続して成る発光素子ディスプレイ・チップ（１４）；
第１主表面（３２）および第２主表面を有し、前記発光素子ディスプレイ・チップ（１４）の主表面（１１）の中央部分（１３）における完全なイメージと実質的に同一の広がりを持って基板を貫通する中央開口部（３５）を設けた取付基板（３０）であって、さらに前記取付基板（３０）に複数の導体（３１）を形成し、前記中央開口部（３５）の縁部に隣接する複数の取付パッド（３４）の一つから前記取付基板（３０）の前記第１主表面（３２）上の複数の接続パッド（３３）の一つまで各導体（３１）を伸長させ、前記発光素子ディスプレイ・チップ（１４）の前記主表面（１１）を前記取付基板（３０）の前記第１主表面（３２）上に取り付け、複数の外部接続／取付パッド（２２）の第１のものおよび複数の外部接続／取付パッド（２２）の第２のものを前記取付基板（３０）の取付パッド（３４）と電気的に接触させ、前記発光素子ディスプレイ・チップ（１４）の主表面（１１）の中央部分（１３）における完全なイメージを前記取付基板（３０）の主表面（３２）の中央部分（３５）と軸方向に整列させ同一の広がりを持つように構成して成る取付基板（３０）；
データ入力端子を有し、それぞれの前記発光素子（１２）の第１電極（１６）および第２電極（１７）に接続された制御信号出力端子をさらに有し、前記データ入力端子に加えられたデータ信号に従って前記発光素子（１２）を活性化させて完全なイメージを生成する複数のドライバおよび制御回路（５７）；および
第１主表面および反対側の第２主表面を有するドライバ基板（５５）であって、前記第１主表面に第１電気接続パッドを設け、前記反対側の第２主表面に第２電気接続パッドを設け、前記ドライバ基板（５５）の前記第１電気接続パッドと前記第２電気接続パッドとの間に電気的接続を形成し、前記制御信号出力端子が前記第１電気接続パッドと電気的に接続され、前記複数のドライバおよび制御回路（５７）を前記ドライバ基板（５５）の第１主表面上に取り付け、前記ドライバ基板（５５）の前記第２電気接続パッドが前記発光素子ディスプレイ・チップ（１４）の前記第１および第２の複数の外部接続／取付パッド（２２）と電気的に接続し、前記ドライバ基板（５５）を前記取付基板（３０）の第１主表面（３２）および反対側の第２表面のいずれか一方に取り付けて成るドライバ基板（５５）；
によって構成されることを特徴とする光電子集積パッケージ。
【請求項３】
主表面（１１）に複数の発光素子（１２）が設けられた主表面（１１）を有する光学的に透明な基板（１０）であって、それぞれの前記発光素子（１２）は前記発光素子（１２）を活性化するための第１電極（１６）および第２電極（１７）を有し、前記発光素子（１２）は行列に配置された複数の画素を定め、活性化されたときに個々の素子が協働して前記主表面（１１）の中央部分（１３）に完全なイメージを生成し、光学的に透明な前記基板（１０）はその外縁部に隣接する位置および前記主表面（１１）の中央部分（１３）の外側の位置に外部接続／取付パッド（２２）をさらに有し、それぞれの前記発光素子（１２）の第１電極（１６）は第１の複数の外部接続／取付パッド（２２）に接続されて画素行を形成し、かつそれぞれの前記発光素子（１２）の第２電極は第２多数の外部接続／取付パッド（２２）に接続されて画素列を形成して成る光学的に透明な基板；
第１主表面（３２）および反対側の第２主表面を有し、前記光学的に透明な基板（１０）の第１主表面（１１）の中央部分（１３）における完全なイメージと実質的に同一の広がりを持って基板を貫通する中央開口部（３５）を設けた不透明な成形取付基板（３０）において、前記取付基板（３０）はそこに形成された多数の導体（３１）をさらに有し、それぞれの前記導体（３１）は前記中央開口部（３５）の縁部に隣接する多数の取付パッド（３４）の一つから前記第１主表面（３２）上の多数の接続パッド（３３）の一つまで伸長し、第１多数および第２多数の外部接続／取付パッド（２２）が前記取付基板（３３）の取付パッド（３４）と電気的に接触した状態で前記光学的に透明な基板（１０）を前記取付基板（３０）の前記第１主表面（３３）に取り付け、前記光学的に透明な基板（１０）の主表面（１１）の中央部分（１３）における完全なイメージが前記取付基板（３０）の主表面（３２）の中央開口部（３５）と軸方向に整列し同一の広がりを持つように構成して成る前記不透明な取付基板（３０）；
データ入力端子を有し、かつ前記データ入力端子に加えられたデータ信号に従って前記発光素子（１２）を活性化させて完全なイメージを生成するために、前記発光素子（１２）の第１電極（１６）および第２電極（１７）に接続するように構成された制御信号出力端子をさらに有する多数のドライバおよび制御基板（５７）；および
第１主表面および反対側の第２主表面を有するドライバ基板（５５）において、前記第１主表面に第１電気接続パッドを設け、前記反対側の第２主表面に第２電気接続パッドを設け、前記ドライバ基板（５５）の前記第１電気接続パッドと前記第２電気接続パッドとの間に電気的接続を形成し、前記制御信号出力端子が前記第１電気接続パッドと電気的に接触した状態で前記多数のドライバおよび制御基板（５７）を前記ドライバ基板（５５）の第１主表面上に取り付け、前記第２電気接続パッドが前記光学的に透明な基板（１０）の第１および第２多数の外部接続／取付パッドと（２２）と電気的に接触した状態で前記取付基板（３０）を前記ドライバ基板（５５）の前記反対側の第２主表面上に取り付けて成る前記ドライバ基板（５５）；
によって構成されることを特徴とする光電子集積パッケージ。
【請求項４】
データ出力端子を有する携帯用電子装置（１３０）；
ビューイング・アパーチャを有する小型虚像ディスプレイ（１３２）において、前記ディスプレイは受信機に動作可能に取り付けられており、かつ主表面（１１）に多数の発光素子が形成された主表面（１１）を有する光学的に透明な基板（１０）を含み、それぞれの前記発光素子（１２）は前記発光素子（１２）を活性化するための第１および第２電極（１６，１７）を有し、前記発光素子（１２）は行列に配置された多数の画素を定義し、かつ活性化されたときに協働して前記主表面（１１）の中央部分（１３）に完全なイメージを生成し、前記光学的に透明な基板（１０）はその外縁部に隣接する位置および前記主表面（１１）の中央部分（１３）の外側に外部接続パッド（２２）をさらに有し、前記発光素子（１２）の第１電極（１６）は第１多数の外部接続パッド（２２）に接続されて画素行を形成し、前記発光素子（１２）の第２電極（１７）は第２多数の外部接続パッド（２２）に接続されて画素列を形成して成る前記小型虚像ディスプレイ（１３２）；
電子装置（１３０）のデータ出力端子に接続されたデータ入力端子を有し、かつ前記データ入力端子に加えられたデータ信号に従って前記発光素子（１２）を活性化させて完全なイメージを生成するために、前記発光素子（１２）の第１電極および第２電極（１６，１７）に接続するように構成された制御信号出力端子をさらに有する多数のドライバおよび制御基板（５７）；
前記発光素子（１２）によって生成される完全なイメージと実質的に同一の広がりを持って基板を貫通する中央開口部（３５）を設けた取付基板（３０）において、前記中央開口部の周囲の表面に多数の取付パッド（３４）を設け、前記光学的に透明な基板（１０）の多数の外部接続／取付パッド（２２）を前記取付基板（３０）の多数の取付基板にバンプ・ボンディングで接続するように構成した前記取付基板（３０）；
第１主表面および反対側の第２主表面を有するドライバ基板（５５）において、前記第１主表面に第１電気接続パッドを設け、前記反対側の第２主表面に第２電気接続パッドを設け、前記ドライバ基板（５５）の前記第１電気接続パッドと前記第２電気接続パッドとの間に電気的接続を形成し、前記第１電気接続パッドが前記光学的に透明な基板上の第１および第２多数の外部接続パッド（２２）と電気的に接触した状態で前記取付基板（３０）を前記ドライバ基板（５５）の第１主表面上に取り付け、前記制御信号出力端子が前記第２電気接続パッドと電気的に接触した状態で前記多数のドライバおよび制御回路（５７）を前記ドライバ基板（５５）の前記反対側の第２主表面上に取り付けて成る前記ドライバ基板（５５）；および
前記電子装置（１３０）に取り付けられ、前記光学的に透明な基板（１０）の中央部分（１３）と軸方向に整列し、アパーチャ（１４４）を定義し、多数の発光素子（１２）によって生成される完全なイメージから、前記電子装置（１３０）のオペレータが容易に見ることができる虚像（１５０）を提供する光学的拡大システム（１４２）；
によって構成されることを特徴とするビジュアル・ディスプレイを備えた携帯用電子装置。
【請求項５】
光学的に透明な基板（１０）の主表面（１１）に多数の発光素子（１２）を形成する段階において、それぞれの前記発光素子（１２）は前記発光素子（１２）を活性化するための第１および第２電極（１５，１７）を有し、前記発光素子（１２）は行列に配置された多数の画素を定義し、かつ活性化されたときに協働して前記主表面（１１）の中央部分（１３）に完全なイメージを生成し、前記光学的に透明な基板（１０）はその外縁部に隣接する位置および前記主表面（１１）の中央部分（１３）の外側に外部接続パッド（２２）をさらに形成し、前記発光素子（１２）の第１電極（１６）を第１多数の外部接続パッド（２２）に接続して画素行を形成し、発光素子（１２）の第２電極（１７）を第２多数の外部接続パッド（２２）に接続して画素行を形成することを特徴とする発光素子（１２）の形成段階；
第１主表面（３２）および反対側の第２主表面を有し、発光素子（１２）によって生成される完全なイメージと実質的に同一の広がりを持って基板を貫通する中心開口部（３５）を設けた不透明な取付基板（３０）を形成する段階において、前記第１主表面（３２）の前記中央開口部（３５）の周囲に多数の取付パッド（３４）を形成し、取付基板の周縁部の第１主表面（３２）に多数の接続パッド（３３）を形成し、両者の間に伸長する多数の導体（３１）を形成して成る取付基板（３０）を形成する段階；
光学的に透明な基板（１０）の第１および第２多数の外部接続／取付パッド（２２）を取付基板（３０）の多数の取付パッド（３４）と電気的に接触した状態で、しかも光学的に透明な基板（１０）の中央部分（１３）の完全なイメージが取付基板（３０）の中央開口部分（３５）と軸方向に整列する状態で、前記光学的に透明な基板（１０）の主表面（１１）を取付基板（３０）の第１主表面（３２）に取り付ける段階；
データ入力端子を有し、かつ前記データ入力端子に加えられたデータ信号に従って発光素子（１２）を活性化して完全なイメージが生成するために、前記発光素子（１２）の第１および第２電極（１６，１７）に接続するように構成された制御信号出力端子をさらに有する多数のドライバおよび制御回路を形成する段階；
第１主表面および反対側の第２主表面を有し、前記第１主表面に第１電気接続パッドを形成し、前記第２主表面に第２電気接続パッドを形成し、前記第１および第２電気接続パッド間にドライバ基板（１５）の電気的接続を形成して成るドライバ基板（５５）を形成する段階；
前記制御信号出力端子が前記第１電気接続パッドに電気的に接触した状態で、多数のドライバおよび制御回路（５７）をドライバ基板（５５）の第１主表面に取り付ける段階；および
前記ドライバ基板（５５）の前記第２電気接続パッドが前記取付基板（３０）の多数の接続パッドと接触した状態で、前記ドライバ基板を前記取付基板（３０）の第１主表面（３２）または反対側の第２主表面のどちらか一方に取り付ける段階；
によって構成されることを特徴とする光電子集積パッケージ製造方法。